(57)【要約】【課題】背面から見た収容ケースの占有面積を小さくし、それらに収容された各基板の設置レイアウトの自由度を向上させるとともに、不正行為を目的として第三者が勝手に各収容ケースを取り外すのを困難とすることができるパチンコ遊技機を提供する。【解決手段】所定の動作を制御する基板を収容するための一の収容ケース（電源基板用ケース１６）と、他の動作を制御する基板を収容するための他の収容ケース（第１収容ケース１４及び第２収容ケース１５を一体化したユニット７）とを備えたパチンコ遊技機において、一の収容ケース上面に受け部１６ａを形成するとともに、当該一の収容ケース上面に他の収容ケースを積層させつつ受け部１６ａに当該他の収容ケースを係止させて固定するものである。【選択図】　図３
2004081402.tif 000002
【特許請求の範囲】
【請求項１】
所定の動作を制御する基板を収容するための一の収容ケースと、
他の動作を制御する基板を収容するための他の収容ケースと、
を備えたパチンコ遊技機において、
前記一の収容ケース上面に受け部を形成するとともに、当該一の収容ケース上面に前記他の収容ケースを積層させつつ前記受け部に当該他の収容ケースを係止させて固定することを特徴とするパチンコ遊技機。
【請求項２】
前記他の収容ケースは、遊技内容を制御する主基板と、前記主基板からの信号に基づいてランプを制御するランプ制御基板と、前記主基板からの信号に基づいてスピーカからの出力を制御する音声制御基板とを収容するための一体化された収容ケースから成るユニットとされたことを特徴とする請求項１記載のパチンコ遊技機。
【請求項３】
前記ユニットは、前記ランプ制御基板及び音声制御基板を収容した第２収容ケースの上面で前記主基板を収容した第１収容ケースをスライドさせて積層させた状態として一体化したものからなるとともに、当該ユニットが所定位置に取り付けられた状態で第１収容ケースのスライド方向であって当該第１収容ケースを第２収容ケースから取り外す側に他の基板を収容した収容ケースが配置されたことを特徴とする請求項１又は請求項２記載のパチンコ遊技機。
【請求項４】
前記一の収容ケースは、電源基板を収容した電源基板用ケースから成ることを特徴とする請求項１〜請求項３のいずれか１つに記載のパチンコ遊技機。
【請求項５】
前記一の収容ケース及び他の収容ケースは、機構板の裏面に取り付けられるものであり、前記他の収容ケースは、前記一の収容ケースに形成された受け部に加え、当該機構板に形成された機構板側受け部によっても係止されて固定されることを特徴とする請求項１〜請求項４のいずれか１つに記載のパチンコ遊技機。
【発明の詳細な説明】
【０００１】
【発明の属する技術分野】
本発明は、基板を収容する少なくとも２つの収容ケースを具備したパチンコ遊技機に関するものである。
【０００２】
【従来の技術】
パチンコ遊技機は、一般に、機枠に対して開閉可能に取り付けられた前面枠を有し、該前面枠に遊技盤が取り付けられて構成されている。また、遊技盤の裏面側には、合成樹脂等で形成された機構板が取り付けられ、該機構板に景品玉を貯留するための玉タンク等やその景品玉が通過するための導出樋等が形成されている。尚、前面枠等には、遊技に関して各種演出を行うべくランプやスピーカが配設されている。
【０００３】
また、パチンコ遊技機の背面側（即ち、遊技盤の裏面や機構板等）には、遊技内容を制御するための主基板、パチンコ遊技機に設置されたランプを制御するためのランプ制御基板、スピーカの出力を制御するための音声制御基板、及び電源基板を収容した電源基板用ケース等が配設されており、これら基板は、それぞれ別個の収容ケースに収容されていた。
【０００４】
【発明が解決しようとする課題】
しかしながら、上記従来のパチンコ遊技機においては、機構板等の裏面に設けられた各収容ケースは、互いに積層状態とされることなく、それぞれ機構板等の裏面に併設されていたため、パチンコ遊技機の背面から見た収容ケースの占有面積が大きくなってしまい、それらに収容された各基板の設置レイアウトが著しく制限されてしまうという問題があった。
【０００５】
更に、各収容ケースが併設されているため、メンテナンス時や遊技盤の交換時においては当該収容ケースの取り外し作業が容易であるものの、不正行為を目的として勝手に各収容ケースを取り外すことも容易となっているため、防犯上の観点からは好ましくなかった。
【０００６】
本発明は、このような事情に鑑みてなされたもので、背面から見た収容ケースの占有面積を小さくし、それらに収容された各基板の設置レイアウトの自由度を向上させるとともに、不正行為を目的として第三者が勝手に各収容ケースを取り外すのを困難とすることができるパチンコ遊技機を提供することにある。
【０００７】
【課題を解決するための手段】
請求項１記載の発明は、所定の動作を制御する基板を収容するための一の収容ケースと、他の動作を制御する基板を収容するための他の収容ケースとを備えたパチンコ遊技機において、前記一の収容ケース上面に受け部を形成するとともに、当該一の収容ケース上面に前記他の収容ケースを積層させつつ前記受け部に当該他の収容ケースを係止させて固定することを特徴とする。
【０００８】
請求項２記載の発明は、請求項１記載のパチンコ遊技機において、前記他の収容ケースは、遊技内容を制御する主基板と、前記主基板からの信号に基づいてランプを制御するランプ制御基板と、前記主基板からの信号に基づいてスピーカからの出力を制御する音声制御基板とを収容するための一体化された収容ケースから成るユニットとされたことを特徴とする。
【０００９】
請求項３記載の発明は、請求項１又は請求項２記載のパチンコ遊技機において、前記ユニットは、前記ランプ制御基板及び音声制御基板を収容した第２収容ケースの上面で前記主基板を収容した第１収容ケースをスライドさせて積層させた状態として一体化したものからなるとともに、当該ユニットが所定位置に取り付けられた状態で第１収容ケースのスライド方向であって当該第１収容ケースを第２収容ケースから取り外す側に他の基板を収容した収容ケースが配置されたことを特徴とする。
【００１０】
請求項４記載の発明は、請求項１〜請求項３のいずれか１つに記載のパチンコ遊技機において、前記一の収容ケースは、電源基板を収容した電源基板用ケースから成ることを特徴とする。
【００１１】
請求項５記載の発明は、請求項１〜請求項４のいずれか１つに記載のパチンコ遊技機において、前記一の収容ケース及び他の収容ケースは、機構板の裏面に取り付けられるものであり、前記他の収容ケースは、前記一の収容ケースに形成された受け部に加え、当該機構板に形成された機構板側受け部によっても係止されて固定されることを特徴とする。
【００１２】
【発明の実施の形態】
以下、本発明の実施形態について図面を参照しながら具体的に説明する。
本実施形態に係るパチンコ遊技機は、図１及び図２で示すように、機枠１に対して開閉可能に取り付けられた前面枠２を有し、該前面枠２には開閉可能なガラス枠３が形成されている。かかるガラス枠３内には、遊技盤４が固定されており、その表面には種々の役物や複数の釘、或いは液晶表示部（いずれも不図示）等が形成されている。
【００１３】
液晶表示部は、図２における液晶用収容ケース５（遊技盤４の裏面側から固定）内に収容されつつ、その画面が遊技盤４の開口から前面側に臨んで配設され、遊技者に各種の液晶表示を行っている。また、液晶用収容ケース５内には、液晶表示部を制御する図柄制御基板も収容されており、この図柄制御基板により当該液晶表示部で表示すべき図柄等を制御している。
【００１４】
更に、遊技における演出効果を高めるべく、前面枠２或いは遊技盤４の前面側には、不図示のランプ（例えば大当たりＬＥＤや遊技盤ランプ等）やスピーカ６が配設されている。即ち、遊技状態に応じて、ランプの点灯又は点滅やスピーカ６からの出力が行われ、各種の演出がなされるのである。このようなランプ及びスピーカ６の制御は、ランプ制御基板及び音声出力基板により行われる。
【００１５】
これらランプ制御基板及び音声出力基板は、図８に示すように、主基板に電気的に接続された図柄制御基板と電気的に接続されており、該主基板からの制御信号に基づく図柄制御基板からの所定の制御信号に基づき制御され得るよう構成されている。かかる主基板は、パチンコ遊技機全般に亘る遊技内容を制御するもので、ＣＰＵ、ＲＡＭ及びプログラムＲＯＭといった構成要素を備えたものである。また、主基板には電源基板が電気的に接続されており、該電源基板を介して島電源からの電源が供給され得るよう構成されている。
【００１６】
そして、主基板から図柄制御基板に所定の信号が送信されると、液晶表示部に表示すべき図柄の制御が行われるとともに、図柄制御基板からランプ制御基板及び音声制御基板に所定の信号が送信され、ランプ中継基板を介して所望のランプが点灯又は点滅するとともに、スピーカ６から所望の出力が得られるようになっている。尚、主基板は、始動口スイッチと電気的に接続されており、そこからの検出信号に基づいて主基板が所定動作を行い得るようになっている。
【００１７】
上記基板のうち図柄制御基板は、既述の如く液晶用収容ケース５内に収容されて遊技盤４の裏面に固定される一方、他の基板である主基板、ランプ制御基板及び音声制御基板は、一体のユニット７（本発明の他の収容ケースに相当）内に収容されて遊技盤４の裏面側に配設された機構板８に固定される。
【００１８】
尚、機構板８には、図２に示すように、景品玉を貯留するための玉タンク９、その景品玉が通過するための導出樋１０或いは払出カセット１１等が配設されるとともに、払出制御基板を収容した払出制御基板用ケース１２、及び発射制御基板を具備した発射装置ユニット１３等が配設されている。また、ユニット７と機構板８との間には、電源基板を収容した電源基板用ケース１６（本発明の一の収容ケースに相当）が介装されている。
【００１９】
ユニット７は、透明な合成樹脂を所定形状に成形した２つのケースから成り、図４で示すように、主基板を収容する第１収容ケース１４と、ランプ制御基板及び音声制御基板を収容する第２収容ケース１５とを上下に積層させた状態にて一体化させて構成されている。かかる第１収容ケース１４及び第２収容ケース１５内に収容された主基板、ランプ制御基板及び音声制御基板は、パチンコ遊技機の機種への依存性が極めて高く、遊技盤を交換する際には必ず交換されるべきものである。
【００２０】
第２収容ケース１５は、図５で示すように、内部にランプ制御基板及び音声制御基板を収容可能な空間を有する収容部１５ａと、該収容部１５ａの下面を延設させると共に表面が収容部１５ａの上面と同じ高さとなるまで屈曲形成して構成された案内部１５ｂとから成り、これにより案内部１５ｂと収容部１５ａとの上面が略平坦とされている。該平坦面に第１収容ケース１４が載置されることとなる。
【００２１】
また、第２ケース１５の案内部１５ｂ側部には、上方に突出した一対の凸条部１５ｂａが形成されており、それぞれから対向する方向にリブ１５ｂｂが形成されている。更に、案内部１５ｂにおける同図右側中央近傍には、一端が案内部１５ｂの上面から突出した係止爪１５ｂｃが形成されるとともに、収容部１５ａにおける同図左側端面からは、ストッパ部１５ａａが突出形成されている。
【００２２】
また更に、案内部１５ｂの同図下端面からは、下方に向かってリブ１５ｂｄが形成されるとともに、収容部１５ａにおける左側端面にはストッパ部１５ａａと高さを違えて一対のリブ１５ａｂが形成されている。尚、符号１５ｂｅは、案内部１５ｂにおける同図右側上部に突出形成されて外部接続端子基板（不図示）を載置するための部位を示している。
【００２３】
一方、第１収容ケース１４は、図６に示すように、底面板１４ａ及び上面板１４ｂを合致させて内部に主基板を収容するための収容空間を成しているとともに、第２収容ケース１５上に載置可能とすべく底面板１４ａの下面が略平坦とされている。底面板１４ａ及び上面板１４ｂの同図右端からは、それぞれ突出部１４ｃが延出されており、両突出部１４ｃをピン状部材１４ｄを挿通させることにより、収容空間を密閉している。
【００２４】
また、第１収容ケース１４における同図右側上下面及び左端面には、リブ１４ｅ及び１４ｆがそれぞれ形成されているとともに、上面から見た場合、収容空間から上方に複数の開口１４ｇが形成されている。かかる開口１４ｇには、収容空間に収容された主基板の端子が外部に臨むこととなり、主基板と他の基板との間の配線を可能としている。
【００２５】
上記第１収容ケース１４は、第２収容ケース１５の上面でスライドして一体化されるよう構成されている。即ち、図７で示すように、第２収容ケース１５の右端側から第１収容ケース１４を近接させ、同図矢印方向にスライドさせると、当該第２収容ケース１５の上面とリブ１５ｂｂとの間に第１収容ケース１４のリブ１４ｅが挿通され、これによりスライド時のガイドがなされる。
【００２６】
かかるスライド時においては、第１収容ケース１４の下面に押されて係止爪１５ｂｃが下方に撓んだ状態となっており、第２収容ケース１５に対する第１収容ケース１４のスライド動作が許容されている。更に、第１収容ケース１４を矢印方向にスライドさせると、リブ１４ｆがストッパ部１５ａａに当接して保持され、更なるスライドが規制されるとともに、係止爪１５ｂｃが復元力により上昇して第１収容ケース１４の右端面を係止して図４の状態とされる。
【００２７】
これにより、第１収容ケース１４と第２収容ケース１５とが一体化され、単一ユニットとしてパチンコ遊技機の機構板８に脱着可能となる。しかして、パチンコ遊技機の機種を入れ替えるに際し、遊技盤４を交換するとき、必ず交換が必要な主基板、ランプ制御基板及び音声制御基板を一括して取り外し及び取り付け作業することができ、作業性を向上させることができる。尚、遊技盤４の交換時には、図柄制御基板も交換する必要があるのでユニット７内に収容するのが理想であるが、該図柄制御基板は液晶表示部と近接させて配置する必要上、当該ユニット７内に収容することができない。
【００２８】
更に、単一のユニット７としつつも、第１収容ケース１４にて主基板を独立して密閉させることができるので、当該主基板の不正な改造等を防止することができる。即ち、主基板の回路を勝手に改造してゲームに賭博性を持たせるような不正行為を防止すべく、主基板は独立させて密閉させ、更に封印シール等を貼着させることが行われるのであるが、かかる封印を容易にすることができるのである。
【００２９】
ここで、本実施形態においては、図３で示すように、電源基板用ケース１６の上面に受け部１６ａが形成されるとともに、機構板８の所定位置にも機構板側受け部８ａが形成されている。このうち受け部１６ａは、電源基板用ケース１６と一体成形されたものであり、ユニット７のリブ１５ｂｄを受けて係止し得る寸法でパチンコ遊技機の背面から見て手前側に突出している。
【００３０】
一方、機構板側受け部８ａは、ユニット７のリブ１５ａｂを嵌入させ得る形状とされ、同図の如くパチンコ遊技機に取り付けられた電源基板用ケース１６の上面に対して上方からユニット７を摺動させると、該ユニット７のリブ１５ａｂを嵌入して当該ユニット７のスライドを案内するよう構成されている。そして、ユニット７のリブ１５ｂｄが受け部１６ａと当接した位置では、機構板側受け部８ａにリブ１５ａｂが嵌入した状態とされる。
【００３１】
即ち、機構板側受け部８ａは、ユニット７のスライド時の案内手段として機能するとともに、当該ユニット７の取り付け位置においては係止手段として機能するのである。これにより、ユニット７は、その同図下端面が受け部１６ａで係止されるとともに、同図左側面が機構板側受け部８ａで係止されることとなり、電源基板用ケース１６上面にユニット７を積層させつつ確実に固定することができるのである。かかるユニット７の電源基板用ケース１６上への取り付け状態は、図２で示す通りである。
【００３２】
更に、図２で示すように、ユニット７を払出制御基板用ケース１２の左側に近接して取り付けることにより、当該ユニット７における第１収容ケース１４を取り外すことを困難とすることができる。即ち、同図に示すように、ユニット７がパチンコ遊技機に取り付けられた状態で、第１収容ケース１４のスライド方向であって当該第１収容ケース１４を第２収容ケース１５から取り外す側に払出制御基板用ケース１２が配置しているので、ユニット７から第１収容ケース１４のみを取り外し、不正行為が行われるのを確実に防止することができるのである。
【００３３】
尚、本実施形態においては、第１収容ケース１４のスライド方向であって当該第１収容ケース１４を第２収容ケース１５から取り外す側に払出制御基板用ケース１２を配置しているが、他の基板を収容した収容ケース（例えば種々中継基板ケース等）を同位置に配置するようにしてもよい。
【００３４】
本実施形態に係るパチンコ遊技機によれば、ランプ制御基板及び音声制御基板を収容する第２収容ケース１５上に主基板を収容する第１収容ケース１４を積層させて一体のユニット７（他の収容ケース）とするとともに、該ユニット７を電源基板用ケース１６（一の収容ケース）の受け部１６ａで係止することにより、積層状態にて固定させることができるので、パチンコ遊技機の背面から見た収容ケースの占有面積を小さくし、それらに収容された各基板の設置レイアウトの自由度を向上させることができる。
【００３５】
更に、電源基板用ケース１６を取り外す前にユニット７を取り外す必要があるため、不正行為を目的として第三者が勝手に収容ケースを取り外すのを困難とすることができる。また更に、遊技盤を交換する際には必ず交換が必要な基板を収容したユニット７が積層状態の上側、当該遊技盤交換時には交換が不要な電源基板用ケース１６が下側にあるので、遊技盤交換時における作業性を向上させることができる。
【００３６】
以上、本実施形態について説明したが、本発明はこれに限定されるものではなく、上下積層状態にて固定させる収容ケースは他のものであってもよい。例えば、本実施形態においては、第１収容ケース１４及び第２収容ケース１５を一体としたユニット７が電源基板用ケース１６上面に積層しつつ固定されているが、従来の如き主基板のみを収容した収容ケースを電源基板用ケース１６の受け部１６ａに係止させて固定してもよいし、或いはランプ制御基板又は音声制御基板のいずれかのみを収容した収容ケースを同受け部１６ａに係止させて固定してもよい。
【００３７】
勿論、積層状態の下側のもの（一の収容ケース）についても同様に、電源基板用ケース１６の他、例えば払出制御基板用ケース１２や発射装置ユニット１３等を一の収容ケースとして、その上面に受け部を形成し、かかる受け部に他の収容ケース（いずれの基板を収容する収容ケースであってもよい）を係止させて積層状態にて固定するようにしてもよい。
【００３８】
【発明の効果】
請求項１の発明によれば、一の収容ケース上に他の収容ケースを積層させて固定させるので、パチンコ遊技機の背面から見た収容ケースの占有面積を小さくし、それらに収容された各基板の設置レイアウトの自由度を向上させるとともに、一の収容ケースを取り外す前に他の収容ケースを取り外す必要があるため、不正行為を目的として第三者が勝手に収容ケースを取り外すのを困難とすることができる。
【００３９】
請求項２の発明によれば、他の収容ケースが主基板、ランプ制御基板及び音声制御基板を収容すべく一体化された収容ケースから成るユニットとされているので、パチンコ遊技機の背面から見た収容ケースの占有面積を更に小さくすることができるとともに、遊技盤を交換する際には必ず交換が必要な基板を収容した収容ケースが積層状態の上側にあるので、遊技盤交換時における作業性を向上させることができる。
【００４０】
請求項３の発明によれば、第１収容ケースと第２収容ケースとを積層させて一体化することによりユニットとしているので、第１収容ケースに主基板を独立して密閉させることができ、当該主基板の不正な改造等を防止することができる。即ち、主基板の回路を勝手に改造してゲームに賭博性を持たせるような不正行為を防止すべく、主基板は独立させて密閉させ、更に封印シール等を貼着させることが行われるのであるが、かかる封印を容易にすることができるのである。
【００４１】
加えて、第１収容ケースは第２収容ケースの上面でスライドして一体化されるとともに、そのスライド方向であって第１収容ケースを第２収容ケースから取り外す側にパチンコ遊技機が具備する他の基板を収容した収容ケースが配置しているので、ユニットがパチンコ遊技機の所定位置に取り付けられた状態では、主基板を収容した第１収容ケースの取り外しが困難となり、当該主基板に対する不正行為をより確実に防止することができる。
【００４２】
請求項４の発明によれば、一の収容ケースが電源基板を収容した電源基板用ケースから成るので、遊技盤交換時には取り外す必要がないものが積層状態の下側、遊技盤交換時に取り外す必要があるものが積層状態の上側に位置することとなり、当該遊技盤交換を効率良く行わせることができる。
【００４３】
請求項５の発明によれば、他の収容ケースは、一の収容ケースに形成された受け部に加え、機構板に形成された機構板側受け部によっても係止されて固定されるので、より確実に他の収容ケースを固定することができる。
【図面の簡単な説明】
【図１】本発明の実施形態に係るパチンコ遊技機を正面側から見た斜視図
【図２】本発明の実施形態に係るパチンコ遊技機を背面から見た模式図
【図３】同ユニットを取り付ける前の状態を示す模式図
【図４】本発明の実施形態に係るパチンコ遊技機におけるユニットを示す斜視図
【図５】同ユニットを構成する第２収容ケースを示す上面図及び正面図
【図６】同ユニットを構成する第１収容ケースを示す上面図及び正面図
【図７】同ユニットを構成する第２収容ケースに第１収容ケースを一体化させる前の状態を示す模式図
【図８】本発明の実施形態に係るパチンコ遊技機の制御を示すブロック図
【符号の説明】
１…機枠
２…前面枠
３…ガラス枠
４…遊技盤
５…液晶用収容ケース
６…スピーカ
７…ユニット
８…機構板
９…玉タンク
１０…導出樋
１１…払出カセット
１２…払出制御基板用ケース
１３…発射装置ユニット
１４…第１収容ケース
１５…第２収容ケース
【図１】
2004081402.tif 000003
【図２】
2004081402.tif 000004
【図３】
2004081402.tif 000005
【図４】
2004081402.tif 000006
【図５】
2004081402.tif 000007
【図６】
2004081402.tif 000008
【図７】
2004081402.tif 000009
【図８】
2004081402.tif 000010